(57)【要約】【課題】ドア幅方向両側のパネル部材の位置を変更することなくドアの有効開口幅を大きくすることを可能にしたドア構造、及び、それを備えた浴室構造を提供することを課題とする。【解決手段】浴室構造にはドア構造４０が設けられている。このドア構造４０には、浴室の開口部を開閉するドア３０と、ドア３０のドア枠を構成し、浴室外側から見て少なくとも一部が第１壁パネル２０の端部２０Ｔと重なるように、端部２０Ｔの浴室外側に配置された一方側縦枠３２Ｒと、が設けられている。【選択図】図３
2010255355.tif 000002
【特許請求の範囲】
【請求項１】
浴室の開口部を開閉するドアと、
前記ドアのドア枠を構成し、浴室外側から見て少なくとも一部が浴室の壁パネルの端部と重なるように、前記端部の浴室外側に配置されたドア縦枠と、
を備えた、ドア構造。
【請求項２】
前記ドア縦枠には、ドア側部に対向する内側面が形成され、
浴室外側から見て、前記内側面と前記壁パネルの内壁面とが面一に配置されている、請求項１に記載のドア構造。
【請求項３】
前記端部が前記壁パネルを折り曲げて形成された折り曲げ端部であり、
前記折り曲げ端部にコーナー部材が固定され、前記コーナー部材に前記ドア縦枠が固定されることにより、前記ドア縦枠のドア幅方向位置が規制され、
前記コーナー部材には互いに直交して床から立ち上がる第１立ち上がり部と第２立ち上がり部とが形成されていて、前記ドア縦枠は前記第１立ち上がり部に面接触する第１板部及び第２板部を有する、請求項１又は２に記載のドア構造。
【請求項４】
前記ドア縦枠は、ネジ部材をドア幅方向から前記コーナー部材へねじ込んで固定されている、請求項３に記載のドア構造。
【請求項５】
請求項１〜４のうち何れか１項に記載のドア構造を備えた、浴室構造。
【請求項６】
前記ドア構造は、ドア幅方向一端側に前記ドア縦枠を有し、ドア幅方向他端側でハーフパンのエプロンの側縁部に連続する立壁部に隣接する、請求項５に記載の浴室構造。
【発明の詳細な説明】
【技術分野】
【０００１】
本発明は、浴室を形成するドア構造、及び、それを備えた浴室構造に関する。
【背景技術】
【０００２】
ユニットバスなどの浴室側壁は、浴室側壁面を形成する壁パネルと、出入り口を形成する折畳み式のドア（折戸）と、で主に形成されている（例えば特許文献１参照）。
ところで、近年、このような浴室では、特に高齢者向けのために、出入り口の開口幅を広くすることが求められている。開口幅を広げる構造としては、折り畳んだドアを側壁面に沿って位置させる対策が特許文献２で提案されている。
【先行技術文献】
【特許文献】
【０００３】
【特許文献１】特開２００４−１５６２１３号公報
【特許文献２】登録実用新案第３０５９７４４号公報
【発明の概要】
【発明が解決しようとする課題】
【０００４】
しかし、特許文献２では、折り畳んだドアを側壁面に沿って配置する折戸配置スペースが必要になる。このスペースを確保するためにドア幅方向の浴室寸法を拡大する必要がある。ドア幅方向両側には、一般に、パネル部材が設けられている。このパネル部材は、通常、浴室の外周を形成する壁パネル、又は、ハーフパンのエプロンの端縁に連続するパネルである。
本発明は、上記事実を考慮して、ドア幅方向両側のパネル部材の位置を変更することなくドアの有効開口幅を大きくすることを可能にしたドア構造、及び、それを備えた浴室構造を提供することを課題とする。
【課題を解決するための手段】
【０００５】
本発明者は、ドア幅方向両側のパネル部材の位置を変更することなくドアの有効開口幅を大きくすることを鋭意検討した。ここで、ドアを開いたときのドア幅であるドア折畳み幅を狭くすることを検討したが、操作性などの観点で好ましくない。
そこで、ドア枠の位置をドア幅方向外側に移動させる構造について検討を重ね、本発明を完成するに至った。
【０００６】
請求項１に記載の発明は、浴室の開口部を開閉するドアと、前記ドアのドア枠を構成し、浴室外側から見て少なくとも一部が浴室の壁パネルの端部と重なるように、前記端部の浴室外側に配置されたドア縦枠と、を備えている。
【０００７】
ドアは、折畳み式であってもなくてもよい。折畳み式でない場合、ドア幅方向端部で回動可能とされたドアであってもよく、また、引き戸式であってもよい。
請求項１に記載の発明では、ドア縦枠の少なくとも一部が、浴室外側から見て壁パネルの端部と重なるようにこの端部の浴室外側に配置されている。従って、ドアの開口幅を広げた構造にするためにドア縦枠の位置をドア幅方向外側に移動させた構造にしても、ドア幅方向両側のパネル部材の位置を変更しない構成にすることが可能である。
【０００８】
請求項２に記載の発明は、前記ドア縦枠には、ドア側部に対向する内側面が形成され、浴室外側から見て、前記内側面と前記壁パネルの内壁面とが面一に配置されている
これにより、ドアの開口幅を効率的に広くした構造とすることができる。また、ドア縦枠と壁パネルとの間をパッキン等で埋めなくても済む構成にしやすい。
【０００９】
請求項３に記載の発明は、前記端部が前記壁パネルを折り曲げて形成された折り曲げ端部であり、前記折り曲げ端部にコーナー部材が固定され、前記コーナー部材に前記ドア縦枠が固定されることにより、前記ドア縦枠のドア幅方向位置が規制され、前記コーナー部材には互いに直交して床から立ち上がる第１立ち上がり部と第２立ち上がり部とが形成されていて、前記ドア縦枠は前記第１立ち上がり部に面接触する第１板部及び第２板部を有する。
請求項３に記載の発明では、コーナー部材によってドア縦枠のドア幅方向位置を設定位置とすることが可能になり、ドア縦枠の位置規制が容易である。また、ドア縦枠の第１板部で床の第１立ち上がり部に固定するとともに第２板部で床の第２立ち上がり部に固定することができ、コーナー部材を床へ容易に確実に固定することができる。
【００１０】
請求項４に記載の発明は、前記ドア縦枠は、ネジ部材をドア幅方向から前記コーナー部材へねじ込んで固定されている。
これにより、ドア縦枠をコーナー部材へ容易に固定することができる。
【００１１】
請求項５に記載の発明は、請求項１〜４のうち何れか１項に記載のドア構造を備えた浴室構造である。
請求項５に記載の発明では、ドア縦枠の少なくとも一部が、浴室外側から見て壁パネルの端部と重なるようにこの端部の浴室外側に配置されている。従って、ドアの開口幅を広げた構造にするためにドア縦枠の位置をドア幅方向外側に移動させた構造にしても、ドア幅方向両側のパネル部材の位置を変更しない構成の浴室構造とすることが可能である。
【００１２】
請求項６に記載の発明は、前記ドア構造は、ドア幅方向一端側に前記ドア縦枠を有し、ドア幅方向他端側でハーフパンのエプロンの側縁部に連続する立壁部に隣接する。
ハーフパンとは、浴槽の下方に防水パンがなく、浴槽と洗い場とが一体的に成形されている洗い場付き浴槽のことである。また、立壁部は、通常、エプロンの側縁部に直交して連続するパネル部材である。
請求項６に記載の発明により、ドア構造のドア幅方向両側のパネル部材、すなわちハーフパンのエプロンの端縁部に連続する立壁部と上記コーナー側の壁パネルとの両者の位置を移動させずにドアの有効開口幅を広げることができる。このことは、ハーフパンを有するユニットバスで、エプロンとエプロンに対向する壁パネルとの間の洗い場を開閉するようにこのドア構造を配置する際、特に大きな効果を奏することができる。
【発明の効果】
【００１３】
本発明によれば、ドア幅方向両側のパネル部材の位置を変更することなくドアの有効開口幅を大きくすることを可能にしたドア構造、及び、それを備えた浴室構造とすることができる。
【図面の簡単な説明】
【００１４】
【図１】本発明の一実施形態に係る浴室構造の説明図である。
【図２】本発明の一実施形態に係るドア構造を説明する模式的平面図である。
【図３】図３（Ａ）及び（Ｂ）は、それぞれ、本発明の一実施形態に係るドア構造の構成を示す平面断面図、及び、部分斜視図である。
【図４】本発明の一実施形態に係る浴室構造の変形例の説明図である。
【図５】従来のドア構造の一例の構成を示す平面断面図である。
【発明を実施するための形態】
【００１５】
以下、実施形態を挙げ、本発明の実施の形態について説明する。図１は、本発明の一実施形態に係る浴室構造１０を説明する説明図である。図２は本発明の一実施形態に係るドア構造４０を説明する模式的な平面図、図３（Ａ）及び（Ｂ）はそれぞれドア構造４０の構成を示す平面断面図及び部分斜視図である。
【００１６】
本実施形態で説明する浴室構造１０は、ハーフパン１６（浴槽１２の下方に防水パンがなく、浴槽１２と洗い場１４とが一体的に成形されている洗い場付き浴槽）を有するユニットバスによって浴室１１が形成されているものである。洗い場１４はハーフパン１６のエプロン１２Ｓ（すなわち浴槽１２のエプロン１２Ｓ）の下縁部に連続している。
洗い場１４の浴槽１２と対向する側には第１壁パネル２０が設けられている。また、第１壁パネル２０に対向する第２壁パネル２２が設けられている。第１壁パネル２０及び第２壁パネル２２は、ユニットバスの短辺側（ハーフパン１６の短辺側）の浴室側壁面を形成している。
【００１７】
洗い場１４の短手方向Ｓ１に沿った一方側には、浴室１１の開口部１１Ｍを開閉する開閉自在のドア３０と、このドア３０の周囲に位置するドア枠３２と、が設けられている。ドア３０と第１壁パネル２０は互いに直交している。
そして、浴槽１２の短手方向Ｓ２（本実施形態では短手方向Ｓ１と同方向）に沿った一方側に、エプロン１２Ｓの側縁部１２Ｅ、及び、短手方向Ｓ２に沿った浴槽１２の上端縁部１２Ｕに連続する鍔状のパネル部材である立壁部１３をハーフパン１６が備えている。この立壁部１３は、ドア枠３２のドア幅方向他端側に隣接、すなわち後述の他方側縦枠３２Ｌに隣接している。
立壁部１３の上側には、立壁部１３の上端縁部１２Ｕに隣接するとともにドア枠３２のドア幅方向他端側に隣接する第３壁パネル２４が設けられている。従って、ドア３０がハーフパン１６の長辺側に配置されている。
なお、ハーフパン１６は、浴槽１２の短手方向Ｓ２に沿った他方側にも立壁部１３を備えている。
【００１８】
また、洗い場１４の短手方向Ｓ１に沿った他方側、及び、浴槽１２の短手方向Ｓ２に沿った他方側には、第３壁パネル２４及びドア枠３２に対向する第４壁パネル２６が設けられている。第４壁パネル２６には、洗い場１４で使用者が使えるように鏡２８やコーナー側の棚２９などが設けられている。
【００１９】
図３（Ａ）に示すように、ドア枠３２の一方側縦枠３２Ｒは、第１壁パネル２０のパネル幅方向端の折り曲げ端部２０Ｔ（以下、単に端部２０Ｔという）の浴室外側（ドア３０の入口外側）に隣接している。ドア枠３２の他方側縦枠３２Ｌは、第３壁パネル２４のパネル幅方向端の折り曲げ端部２４Ｔ、及び、エプロン１２Ｓの側縁部１２Ｅ（図１参照）に隣接している。
【００２０】
図２、図３に示すように、一方側縦枠３２Ｒは、平面視で浴室出入り方向Ｕに細長状とされている。この一方側縦枠３２Ｒには、ドア幅方向Ｖの幅３２Ｗが確保されるように補強部３４が設けられている。また、一方側縦枠３２Ｒには、隣接するドア側部３２Ｓに対向する内側面３２Ｆが形成されている。そして、浴室外側から見て（すなわち図３（Ａ）の矢印Ｅ方向から見て）、内側面３２Ｆが第１壁パネル２０の内壁面２０Ｆと面一になるように、後述の縦枠用ネジ部材４８によって一方側縦枠３２Ｒが後述のコーナー部材４４に連結されている。
【００２１】
このように、ドア３０と、一方側縦枠３２Ｒと、第１壁パネル２０と、によって形成されるドア構造４０では、浴室外側から見て、一方側縦枠３２Ｒが第１壁パネル２０と重なった位置に配置されている。
なお、他方側縦枠３２Ｌも第３壁パネル２４の折り曲げ端部２４Ｔにネジ部材などの縦枠用ネジ部材４９で固定されている。
【００２２】
ドア３０は、例えば ＹＫＫ ＡＰ株式会社から市販されている商品名「浴室用ドア」であり、右ドア３０Ｒと、右ドア３０Ｒに丁番（ラッチ部）３６で回動可能に取付けられた左ドア３０Ｌと、を有する。右ドア３０Ｒは、一方側縦枠３２Ｒの側で回動軸３８Ｒの回りに回動可能とされている。すなわち、右ドア３０Ｒは、一方側縦枠３２Ｒの側がドア吊り元側となっている。従って、図２に示すように、ドア３０を開けた際には他方側縦枠３２Ｌと左ドア３０Ｌとの間が開く。ドア３０の有効開口幅Ｗ１は、他方側縦枠３２Ｌのドア幅方向内側端３２Ｔと、ドア３０を開いたときの左ドア３０Ｌのドア幅方向内側端３１Ｔとの間隔となる。
【００２３】
ドア構造４０には、一方側縦枠３２Ｒのドア幅方向外側３２Ｅと第１壁パネル２０の端部２０Ｔとを連結するコーナー部材４４が設けられている。このコーナー部材４４は板状部材で構成されており、補強部材３４の脚先端３４Ｔ（補強部材３４のドア幅方向外側端）に当接する板部４４Ａと、板部４４Ａから直角に折れ曲がり端部２０Ｔに面接触する板部４４Ｂと、板部４４Ｂから直角に第１壁パネル２０の側に折れ曲がる板部４４Ｃと、板部４４Ａの浴室外側端縁から板部４４Ｂと平行となるように折れ曲がる板部４４Ｄと、で構成される。板部４４Ｄのドア幅方向外側端４４Ｔは、板部４４Ｃのドア幅方向外側壁と同一平面に位置するか、或いは板部４４Ｃよりもドア幅方向内側の位置とされている。
【００２４】
そして、コーナー部材４４は、第１壁パネル２０の端部２０Ｔのドア側に面接触するとともに端部用ネジ部材４６で端部２０Ｔに固定されている。また、コーナー部材４４は、縦枠用ネジ部材４８で一方側縦枠３２Ｒに連結されている。本実施形態では、コーナー部材４４の所定位置及び端部２０Ｔの所定位置に、それぞれ、端部用ネジ部材４６が貫通して固定される貫通孔４４Ｈ１が予め形成されている。また、図３（Ｂ）に示すように、コーナー部材４４の板部４４Ｃ及び板部４４Ｄは、それぞれ、コーナーを形成する床の立ち上がり部４５Ｊ、４５Ｋにネジ止め等の固定部材４３で固定されている。本実施形態では、立ち上がり部４５Ｊ、４５Ｋは互いに直交している。なお、コーナー部材４４を立ち上がり部４５Ｊ、５４Ｋに固定しない構成にすることも可能である。
【００２５】
この構成により、ドア構造４０を組み立て形成する際、一方側縦枠３２Ｒのドア幅方向位置が設定位置とされる。すなわち、一方側縦枠３２Ｒのドア幅方向Ｖの幅３２Ｗに合わせて貫通孔４４Ｈ１の形成位置を決めておくことによって、一方側縦枠３２Ｒの内側面３２Ｆが第１壁パネル２０の内壁面２０Ｆと面一にされている。なお、一方側縦枠３２Ｒは、縦枠用ネジ部材４８をドア幅方向Ｖからコーナー部材４４へねじ込むことにより固定されている。
また、一方側縦枠３２Ｒの板部４４Ｃを立ち上がり部４５Ｊに固定するとともに、板部４４Ｄを立ち上がり部４５Ｋに固定することができ、コーナー部材４４を床へ容易に確実に固定することができる。
【００２６】
以上説明したように、本実施形態では、一方側縦枠３２Ｒが浴室外側から見て第１壁パネル２０と重なった位置に配置されている。従って、ドア３０の開口幅を広げた構造にするためにドア枠３２の一方側縦枠３２Ｒの位置を従来に比べてドア幅方向外側に移動させてドア幅Ｗ２（図２に示すように、一方側縦枠３２Ｒのドア幅方向外側端３２Ｐと他方側縦枠３２Ｌのドア幅方向外側端３２Ｑとの間隔）を広げた構造にしても、第１壁パネル２０と浴槽１２との間隔を広げなくてもよい構成、すなわち第１壁パネル２０、立壁部１３、及び、第３壁パネル２４の相対位置を変更しない構成にすることができる。また、ドア折畳み幅Ｗ３（図２参照）を狭くせずに従来と同等の幅を確保しているので、ドア３０の操作性、安全性に支障が生じることはない。
また、浴室外側のドア入口側から見て、一方側縦枠３２Ｒの内側面３２Ｆが第１壁パネル２０の内壁面２０Ｆと面一に配置されている。これにより、ドア３０の有効開口幅Ｗ１を効率的に広くすることができる。
【００２７】
なお、以上の説明では、浴室外側から見て（すなわち図３（Ａ）の矢印Ｅ方向から見て）、一方側縦枠３２Ｒの内側面３２Ｆが第１壁パネル２０の内壁面２０Ｆと面一になるように配置されている例で説明したが、図３（Ａ）の矢印Ｅ方向から見て、一方側縦枠３２Ｒの幅３２Ｗを構成する部位の一部が第１壁パネル２０の端部２０Ｔと重なるように配置されていて、端部２０Ｔと内壁面２０Ｆとの間に段差が形成されている場合であっても、同様にドア３０の有効開口幅Ｗ１を広げるという効果を奏することができる。
また、ドア３０がハーフパン１６の立壁部１３（図１参照）に隣接する例で説明したが、図４に示すように、ドア３０がハーフパン１６に隣接しないドア構造５０、及びそれを備えた浴室構造６０としても、ドア幅方向両側の壁パネル５２、５４の位置を移動させずにドア３０の有効開口幅を広げることができる。
【００２８】
（比較検討例）
図５は、従来例のドア構造８０を示す平面断面図である。なお、従来例のドア構造８０では、上記実施形態に係るドア構造４０と同様の構成要素には同じ符号を付して説明する。
【００２９】
従来例のドア構造８０では、一方側縦枠３２Ｒと同様の一方側縦枠８２Ｒ、他方側縦枠３２Ｌと同様の他方側縦枠８２Ｌ、及び、ドア３０と同様のドア８１が、第１壁パネル２０と第３壁パネル２４との間に位置している。そして、浴室外側から見て（すなわち図５の矢印Ｅ方向から見て）、一方側縦枠８２Ｒは第１壁パネル２０の端部２０Ｔよりもドア幅方向内側に位置している。従って、一方側縦枠８２Ｒのドア幅方向外側面８２Ｅと、第１壁パネル２０の内壁面２０Ｆとがドア幅方向Ｖに離間している。なお、この離間した部分にはパッキン８３が配置されている。そして、一方側縦枠８２Ｒのドア幅方向外側と第１壁パネル２０の端部２０Ｔとの相互位置を規定するコーナー部材８４が設けられている。
【００３０】
このような構成のドア構造８０では、第１壁パネル２０と第３壁パネル２４との間隔ｄを上記実施形態と同一にした場合、上記実施形態に係るドア構造４０に比べ、ドア幅Ｗ２が大幅に狭くなるので、ドア８１の有効開口幅Ｗ１が大幅に狭くなる。一例を挙げると、従来例のドア構造８０では有効開口幅Ｗ１が５８４ｍｍである。これに対し、上記実施形態に係るドア構造４０の一例では、ドア幅Ｗ２が従来に比べて広くなることにより、ドア３０の有効開口幅Ｗ１を６００ｍｍに確保することができ、住宅表示性能の高齢者等配慮対策等級（専用部分）で等級３が適用されることが可能になる。
【００３１】
以上、実施形態を挙げて本発明の実施の形態を説明したが、上記実施形態は一例であり、要旨を逸脱しない範囲内で種々変更して実施できる。また、本発明の権利範囲が上記実施形態に限定されないことは言うまでもない。
【符号の説明】
【００３２】
１０    浴室構造
１１    浴室
１１Ｍ  開口部
１２    浴槽
１２Ｅ  側縁部
１２Ｓ  エプロン
１３    立壁部
１６    ハーフパン
２０    第１壁パネル（壁パネル）
３０    ドア
３２    ドア枠
２０Ｔ  端部（端部、折り曲げ端部）
３２Ｒ  一方側縦枠（ドア縦枠）
３２Ｓ  ドア側部
３２Ｆ  内側面
２０Ｆ  内壁面
４０    ドア構造
４４    コーナー部材
４４Ｃ、Ｄ  板部（第１板部、第２板部）
４５Ｊ、Ｋ  立ち上がり部（第１立ち上がり部、第２立ち上がり部）
４８    縦枠用ネジ部材（ネジ部材）
Ｖ      ドア幅方向
【図１】
2010255355.tif 000003
【図２】
2010255355.tif 000004
【図３】
2010255355.tif 000005
【図４】
2010255355.tif 000006
【図５】
2010255355.tif 000007